(57)【要約】 【課題】  アクセスがあった後の電源遮断の前にシャットダウン処理が必要な記憶媒体８を備える情報処理装置の検査工程において、検査工程群全体での検査時間を短縮する。【解決手段】  記憶媒体８に対してアクセスしない検査工程１，３およびアクセスする検査工程２，４を含む複数の検査工程１〜４を設定順で実行する情報処理装置において、記憶媒体への動作電圧をオン，オフするスイッチ９；および、経過時間と、検査工程の実行順と、各工程の、所要時間および記憶媒体８に対するアクセスの有無と、で定められたスイッチ９のオン，オフタイミングを定めたプログラムにもとづき、主電源オンからの経過時間に従って媒体給電スイッチ９をオン，オフし、記憶媒体８にアクセスがある検査工程の実行中に主電源がオフすると、該検査工程が終了しシャットダウン処理が終了してから、スイッチ９をオフする制御手段１０；を備えることを特徴とする。【選択図】  図１４
2010170270.tif 000002
【特許請求の範囲】
【請求項１】
主電源スイッチ、および、バックアップ電源又は自己保持回路を含む電源回路、ならびに、読み書きアクセスがあった後の動作電圧遮断の前にシャットダウン処理が必要な記憶媒体、を備え、検査実行指定がある場合に、前記記憶媒体に対して読み書きアクセスをしない検査工程および読み書きアクセスをする検査工程を含む複数の検査工程を設定順で実行する画像処理装置において、
前記電源回路から前記記憶媒体への動作電圧をオン，オフする媒体給電スイッチ；および、
前記複数の検査工程の実行順と、各工程の、所要時間および前記記憶媒体に対する読み書きアクセスの有無と、で定められた前記媒体給電スイッチのオン，オフタイミングを定めたプログラムにもとづき、前記媒体給電スイッチをオン，オフし、前記記憶媒体に読み書きアクセスがある検査工程の実行中に前記主電源スイッチがオフしたときは、該検査工程が終了しシャットダウン処理が終了してから、前記媒体給電スイッチをオフする、給電制御手段；
を備えることを特徴とする情報処理装置。
【請求項２】
主電源スイッチ、および、バックアップ電源又は自己保持回路を含む電源回路、ならびに、読み書きアクセスがあった後の動作電圧遮断の前にシャットダウン処理が必要な記憶媒体、を備え、検査実行指定がある場合に、前記記憶媒体に対して読み書きアクセスをしない検査工程および読み書きアクセスをする検査工程を含む複数の検査工程を設定順で実行する情報処理装置において、
前記電源回路から前記記憶媒体への動作電圧をオン，オフする媒体給電スイッチ；
前記複数の検査工程の実行順で、各工程の、前記記憶媒体に対する読み書きアクセスの有無に対応する前記媒体給電スイッチのオン，オフデータを格納したイベントメモリ；および、
前記イベントメモリから前記実行順で各工程の、前記オン，オフデータを読み出して前記媒体給電スイッチをオン，オフし、前記記憶媒体に読み書きアクセスがある検査工程の実行中に前記主電源スイッチがオフしたときは、該検査工程が終了しシャットダウン処理が終了してから、前記媒体給電スイッチをオフする、給電制御手段；
を備えることを特徴とする情報処理装置。
【請求項３】
前記給電制御手段は、先行の検査工程が終了したときに前記イベントメモリから次の検査工程の前記オン，オフデータを読み出して前記媒体給電スイッチをオン，オフする；請求項２に記載の情報処理装置。
【請求項４】
前記給電制御手段は、先行の検査工程が終了したときに前記イベントメモリから次の検査工程の前記オン，オフデータを読み出し、それに基づいて該次の検査工程を開始するときに、前記媒体給電スイッチをオン，オフする；請求項２に記載の情報処理装置。
【請求項５】
主電源スイッチ、および、バックアップ電源又は自己保持回路を含む電源回路、ならびに、読み書きアクセスがあった後の動作電圧遮断の前にシャットダウン処理が必要な記憶媒体、を備え、検査実行指定がある場合に、前記記憶媒体に対して読み書きアクセスをしない検査工程および読み書きアクセスをする検査工程を含む複数の検査工程を設定順で実行する情報処理装置において、
前記電源回路から前記記憶媒体への動作電圧をオン，オフする媒体給電スイッチ；
前記複数の検査工程の実行順で、各工程の、実行時間および実行時間経過後の前記記憶媒体に対する読み書きアクセスの有無に対応する前記媒体給電スイッチのオン，オフデータ、を格納したイベントメモリ；および、
前記イベントメモリから前記実行順で各工程の、実行時間および前記オン，オフデータを読み出して、該実行時間の経過後に該オン，オフデータにもとづいて前記媒体給電スイッチをオン，オフし、前記記憶媒体に読み書きアクセスがある検査工程の実行中に前記主電源スイッチがオフしたときは、該検査工程が終了しシャットダウン処理が終了してから、前記媒体給電スイッチをオフする、給電制御手段；
を備えることを特徴とする情報処理装置。
【請求項６】
主電源スイッチ、および、バックアップ電源又は自己保持回路を含む電源回路、ならびに、読み書きアクセスがあった後の動作電圧遮断の前にシャットダウン処理が必要な記憶媒体、を備え、検査実行指定がある場合に、前記記憶媒体に対して読み書きアクセスをしない検査工程および読み書きアクセスをする検査工程を含む複数の検査工程を順次実行する情報処理装置において、
前記電源回路から前記記憶媒体への動作電圧をオン，オフする媒体給電スイッチ；
前記複数の検査工程の各工程宛に、前記記憶媒体に対する読み書きアクセスの有無に対応する前記媒体給電スイッチのオン，オフフラグを格納したフラグメモリ；および、
実行する検査工程に対応するオン，オフフラグを前記フラグメモリから読み出して該オン，オフフラグに対応して前記媒体給電スイッチをオン，オフし、前記記憶媒体に読み書きアクセスがある検査工程の実行中に前記主電源スイッチがオフしたときは、該検査工程が終了しシャットダウン処理が終了してから、前記媒体給電スイッチをオフする、給電制御手段；
を備えることを特徴とする情報処理装置。
【請求項７】
前記給電制御手段は、前記記憶媒体に読み書きアクセスがある検査工程の実行中に前記主電源スイッチがオフしたときに、前記記憶媒体に読み書きアクセスする検査部分を終了している場合は、該検査工程宛のオン，オフフラグをオフに書き換えた修正テーブルを生成しかつ修正テーブル指定情報を生成し、主電源スイッチのオンのときに、前記修正テーブル指定情報があると、前記修正テーブルのオン，オフフラグに対応して前記媒体給電スイッチをオン，オフする；請求項６に記載の情報処理装置。
【請求項８】
前記給電制御手段は、前記記憶媒体に読み書きアクセスがある検査工程の実行中に前記主電源スイッチがオフしたときは、該検査工程が終了しシャットダウン処理が終了してから、前記媒体給電スイッチをオフし、その後で前記電源回路のバックアップ電源又は自己保持回路をオフにする；請求項１乃至７のいずれか１つに記載の情報処理装置。
【発明の詳細な説明】
【技術分野】
【０００１】
本発明は、読み書きアクセスがあった後の動作電圧遮断の前にシャットダウン処理が必要な記憶媒体を備え、主電源スイッチがオンになったとき検査実行指定がある場合に、前記記憶媒体に対して読み書きアクセスをしない検査工程および読み書きアクセスをする検査工程を含む複数の検査工程を順次実行する情報処理装置に関する。本発明はたとえば、スキャナ，プリンタ，複写機，ファクシミリ装置，サーバあるいはコンピュータに実施できる。
【背景技術】
【０００２】
たとえば、ハードディスクドライブ（以下、ＨＤＤ）を搭載する機器の検査方法について、従来の製造工程の終端又は途中の検査工程では、
(1)  ＨＤＤを含むすべての基板，デバイス等を組立てた後に、機器として主電源をオンし、機器に搭載しているプログラムまたは個別のプログラムを使用して、機器の設定や検査を行っている；
(2)  検査工程はいくつかの工程に分かれており、それぞれで主電源のオン，オフが行われている；
(3)  ＨＤＤの電源は主電源オンと同時に入り、主電源オフにて切られるが、ＨＤＤの故障を防ぐために、ＨＤＤのシャットダウン処理が行われた後で主電源を切っている；
(4)  ＨＤＤのシャットダウン処理は、ＨＤＤのヘッドのアンロードやデータの退避を行い、通常は機器の操作部等からボタンなどでシャットダウンを指定し、機器の主電源をオフしても良い状態としている。
【０００３】
特許文献１には、Ｘ，Ｙマトリクス構成のキーボードのＸスイッチ群およびＹスイッチ群の各一つのスイッチを選択してオンとすることにより模擬的に外部信号を生成し、検査制御信号と模擬信号から検査出力信号を生成してキーボードの良否を判定する検査装置が記載されている。特許文献２には、ハードディスクに関して、速度評価モード，適合性確認モード，ＥＭＩ計測モードなどを有して、各モード実行する情報処理装置が記載されてる。
【発明の概要】
【発明が解決しようとする課題】
【０００４】
従来の機器例えば画像処理装置、の検査方法は、ＨＤＤへのアクセス中の電源オフによるＨＤＤ故障を防ぐために、シャットダウン処理による終了処置を行っていた。このため、主電源オン時のＨＤＤへのアクセス有無に関わらず、ＨＤＤ内のデータに相当するＲＡＭへ展開したデータをＨＤＤへ書き戻す作業を行い、その後にＨＤＤのヘッドのアンロードを行ってから電源をオフするため、主電源オフとするまでに余計な時間がかかっていた。これにより検査工程での主電源オン〜オフまでの時間が必要以上に長くなり、その結果トータルでの検査時間が長くなってしまうという問題が発生している。
【０００５】
従来の画像処理装置の検査方法は、例えばハードディスクドライブ（以下、ＨＤＤ）などの記録媒体へのアクセス中の電源オフによるＨＤＤ故障を防ぐために正規手順による終了処置を行っていた。このため、主電源オン時のＨＤＤへのアクセス有無に関わらず、ＨＤＤ内のデータに相当するＲＡＭへ展開したデータをＨＤＤへ書き戻す作業を行い、その後にＨＤＤのヘッドのアンロードを行ってから電源をオフするため、主電源オフとするために余計な時間がかかっていた。
【０００６】
工程番号による設定テーブルを持ち、工程番号と関連付けられたフラグを読み込んでＨＤＤの電源を制御した場合にも、同じ工程を繰り返し行う場合に、１回目の電源オンではＨＤＤの電源をオンし起動させた場合でも２回目以降の同一工程の場合にはＨＤＤの電源をオンさせる必要がない場合があるが、工程番号による設定テーブルを利用すると毎回ＨＤＤの電源をオンしてしまい不要なシャットダウン時間を要してしまう。
【０００７】
本発明は、読み書きアクセスがあった後の動作電圧遮断の前にシャットダウン処理が必要な記憶媒体を備える情報処理装置の、複数を１群とする検査工程において、検査工程群全体での検査時間を短縮することを目的とする。
【課題を解決するための手段】
【０００８】
（１）主電源スイッチ(31)、および、バックアップ電源又は自己保持回路(38)を含む電源回路(30)、ならびに、読み書きアクセスがあった後の動作電圧遮断の前にシャットダウン処理が必要な記憶媒体(8)、を備え、検査実行指定がある場合に、前記記憶媒体に対して読み書きアクセスをしない検査工程(1,3)および読み書きアクセスをする検査工程(2,4)を含む複数の検査工程(1〜4)を設定順で実行する情報処理装置において、
前記電源回路から前記記憶媒体への動作電圧をオン，オフする媒体給電スイッチ(9)；および、
前記複数の検査工程の実行順と、各工程の、所要時間および前記記憶媒体に対する読み書きアクセスの有無と、で定められた前記媒体給電スイッチのオン，オフタイミングを定めたプログラムにもとづき、前記媒体給電スイッチをオン，オフし、前記記憶媒体に読み書きアクセスがある検査工程の実行中に前記主電源スイッチがオフしたときは、該検査工程が終了しシャットダウン処理が終了してから、前記媒体給電スイッチをオフする（図３，図４）、給電制御手段(10)；
を備えることを特徴とする情報処理装置(MF1)。
【０００９】
なお、理解を容易にするために括弧内には、図面に示し後述する実施例の対応要素の符号又は対応事項を、例示として参考までに付記した。以下も同様である。
【発明の効果】
【００１０】
情報処理装置の検査工程において、記憶媒体の動作電圧のオン，オフを制御し、記憶媒体の読み書き機能が不要な場合には記憶媒体の電源をオンしないため、検査終了時にシャットダウン処理を行う必要が無く、主電源スイッチのオフに応じて即座にバックアップ電源又は自己保持回路(38)をオフできるため検査工程群全体としての検査時間が短縮可能となる。また、記憶媒体に読み書きアクセスがある検査工程の実行中に主電源スイッチがオフしたときは、該検査工程が終了し記憶媒体のシャットダウン処理が終了してから、媒体給電スイッチがオフするので、記憶媒体に記憶データ損壊を生じない。
【図面の簡単な説明】
【００１１】
【図１】本発明の第１実施例の情報処理装置である複写機ＭＦ１のシステム構成を示すブロック図である。
【図２】図１に示す情報処理装置の電源システムを示すブロック図である。
【図３】図１に示す複写機ＭＦ１のシステムコントローラ１０にあるＣＰＵ１の、検査工程でのＨＤＤに対する給電制御の一部を示すフローチャートである。
【図４】上記給電制御の残部を示すフローチャートである。
【図５】第２実施例のＣＰＵ１の、検査工程でのＨＤＤに対する給電制御の一部を示すフローチャートである。
【図６】第２実施例のＣＰＵ１の、検査工程でのＨＤＤに対する給電制御の残部を示すフローチャートである。
【図７】第３実施例のＣＰＵ１の、検査工程でのＨＤＤに対する給電制御の一部を示すフローチャートである。
【図８】第３実施例のＣＰＵ１の、検査工程でのＨＤＤに対する給電制御の残部を示すフローチャートである。
【図９】第４実施例のＣＰＵ１の、検査工程でのＨＤＤに対する給電制御の一部を示すフローチャートである。
【図１０】第４実施例のＣＰＵ１の、検査工程でのＨＤＤに対する給電制御の残部を示すフローチャートである。
【図１１】第５実施例のＣＰＵ１の、検査工程でのＨＤＤに対する給電制御を示すフローチャートである。
【図１２】第６実施例のＣＰＵ１の、検査工程でのＨＤＤに対する給電制御を示すフローチャートである。
【図１３】第６実施例のＣＰＵ１の、割り込み処理の内容を示すフローチャートである。
【図１４】各実施例および従来例での、検査工程の実行シーケンスを示すタイムチャートである。
【発明を実施するための形態】
【００１２】
（２）主電源スイッチ(31)、および、バックアップ電源又は自己保持回路(38)を含む電源回路(30)、ならびに、読み書きアクセスがあった後の動作電圧遮断の前にシャットダウン処理が必要な記憶媒体(8)、を備え、検査実行指定がある場合に、前記記憶媒体に対して読み書きアクセスをしない検査工程および読み書きアクセスをする検査工程を含む複数の検査工程(1〜4)を設定順で実行する情報処理装置において、
前記電源回路から前記記憶媒体への動作電圧をオン，オフする媒体給電スイッチ(9)；
前記複数の検査工程の実行順で、各工程の、前記記憶媒体に対する読み書きアクセスの有無に対応する前記媒体給電スイッチのオン，オフデータを格納したイベントメモリ(3)；および、
前記イベントメモリから前記実行順で各工程の、前記オン，オフデータを読み出して前記媒体給電スイッチをオン，オフし、前記記憶媒体に読み書きアクセスがある検査工程の実行中に前記主電源スイッチがオフしたときは、該検査工程が終了しシャットダウン処理が終了してから、前記媒体給電スイッチをオフする、給電制御手段(10)；
を備えることを特徴とする情報処理装置(MF1)。
【００１３】
（３）前記給電制御手段(10)は、先行の検査工程が終了したときに前記イベントメモリから次の検査工程の前記オン，オフデータを読み出して前記媒体給電スイッチをオン，オフする（図５，図６）；上記（２）に記載の情報処理装置。
【００１４】
（４）前記給電制御手段(10)は、先行の検査工程が終了したときに前記イベントメモリから次の検査工程の前記オン，オフデータを読み出し、それに基づいて該次の検査工程を開始するときに、前記媒体給電スイッチをオン，オフする（図７，図８）；上記（２）に記載の情報処理装置。
【００１５】
（５）主電源スイッチ(31)、および、バックアップ電源又は自己保持回路(38)を含む電源回路(30)、ならびに、読み書きアクセスがあった後の動作電圧遮断の前にシャットダウン処理が必要な記憶媒体(8)、を備え、検査実行指定がある場合に、前記記憶媒体に対して読み書きアクセスをしない検査工程および読み書きアクセスをする検査工程を含む複数の検査工程を設定順で実行する情報処理装置において、
前記電源回路から前記記憶媒体への動作電圧をオン，オフする媒体給電スイッチ(9)；
前記複数の検査工程の実行順で、各工程の、実行時間および実行時間経過後の前記記憶媒体に対する読み書きアクセスの有無に対応する前記媒体給電スイッチのオン，オフデータ、を格納したイベントメモリ(3)；および、
前記イベントメモリから前記実行順で各工程の、実行時間および前記オン，オフデータを読み出して、該実行時間の経過後に該オン，オフデータにもとづいて前記媒体給電スイッチをオン，オフし、前記記憶媒体に読み書きアクセスがある検査工程の実行中に前記主電源スイッチがオフしたときは、該検査工程が終了しシャットダウン処理が終了してから、前記媒体給電スイッチをオフする、給電制御手段（図９，図１０）；
を備えることを特徴とする情報処理装置(MF1)。
【００１６】
（６）主電源スイッチ(31)、および、バックアップ電源又は自己保持回路(38)を含む電源回路(30)、ならびに、読み書きアクセスがあった後の動作電圧遮断の前にシャットダウン処理が必要な記憶媒体(8)、を備え、検査実行指定がある場合に、前記記憶媒体に対して読み書きアクセスをしない検査工程および読み書きアクセスをする検査工程を含む複数の検査工程を順次実行する情報処理装置において、
前記電源回路から前記記憶媒体への動作電圧をオン，オフする媒体給電スイッチ(9)；
前記複数の検査工程の各工程宛に、前記記憶媒体に対する読み書きアクセスの有無に対応する前記媒体給電スイッチのオン，オフフラグを格納したフラグメモリ(3)；および、
実行する検査工程に対応するオン，オフフラグを前記フラグメモリから読み出して該オン，オフフラグに対応して前記媒体給電スイッチをオン，オフし、前記記憶媒体に読み書きアクセスがある検査工程の実行中に前記主電源スイッチがオフしたときは、該検査工程が終了しシャットダウン処理が終了してから、前記媒体給電スイッチをオフする（図１１）、給電制御手段(10)；
を備えることを特徴とする情報処理装置(MF1)。
【００１７】
（７）前記給電制御手段(10)は、前記記憶媒体に読み書きアクセスがある検査工程の実行中に前記主電源スイッチがオフしたときに、前記記憶媒体に読み書きアクセスする検査部分を終了している場合は、該検査工程宛のオン，オフフラグをオフに書き換えた修正テーブルを生成しかつ修正テーブル指定情報(INTAF)を生成し、主電源スイッチのオンのときに、前記修正テーブル指定情報があると、前記修正テーブルのオン，オフフラグに対応して前記媒体給電スイッチをオン，オフする（図１２，図１３）；上記（６）に記載の情報処理装置。
【００１８】
（８）前記給電制御手段(10)は、前記記憶媒体に読み書きアクセスがある検査工程の実行中に前記主電源スイッチがオフしたときは、該検査工程が終了しシャットダウン処理が終了してから、前記媒体給電スイッチ(9)をオフし、その後で前記電源回路(30)のバックアップ電源又は自己保持回路(38)をオフにする；上記（１）乃至（７）のいずれか１つに記載の情報処理装置。
【００１９】
本発明の他の目的および特徴は、図面を参照した以下の実施例の説明より明らかになろう。
【実施例１】
【００２０】
図１に、本発明の一実施例であるＭＦＰ(Multi Function Printer)機能があるディジタル複写機ＭＦ１の概要を示す。複写機ＭＦ１は、原稿上の画像を読み込むスキャナ１３，画像を用紙に書き込むプリンタ１２およびこれらの制御を行うプロセスを含むエンジン１１を有し、プロセスコントローラ１４は、複写機のシステム制御および画像処理制御を行うシステムコントローラ１０と、ＰＣＩバス等の汎用バスによって繋がっている。
【００２１】
システムコントローラ１０には、コントローラＡＳＩＣ（Application Specific IC）２，設定データ登録データを保持するＮＶＲＡＭ３，画像データを蓄積し、また複写機各部の状態情報を保持するＲＡＭ４，プログラムを格納したＲＯＭ５，リアルタイムクロック６、および、主にプログラムおよび書画情報を蓄積するＨＤＤ８がある。コントローラＡＳＩＣ２は、システムコントローラ１０，エンジン１１およびＩ／Ｏインターフェイス１５の間の画像データ，制御データ，同期信号などのやり取りを制御する伝送制御，メモリ３〜６およびＨＤＤ８に対するデータの読み書き制御，テキストデータをイメージデータに変換するデータ変換、および、スキャナ１３が出力する読み取り画像データの、プリンタ１２の記録色画像データへの変換、等を行うものである。
【００２２】
複写機ＭＦ１のI/Oインターフェイス１５には、操作ボード２１が接続した操作ボードI/F（インターフェイス）１５，USB Host I/F１７，ＳＤカードI/F１８，パソコンあるいはネットワークが接続されるＭＡＣ１９およびファクシミリ通信回線に接続された回線I/F２０等がある。
【００２３】
システムコントローラ１０とI/Oインターフェイス１５を含むメインコントローラ部が、複合処理システム全般の制御すなわちシステム制御を行う。システムコントローラ１０のＣＰＵ１は、ＲＡＭ４は勿論、Ｉ／Ｏインターフェイス１５内の内部レジスタ等へのアクセスを容易に行える構成となっている。
【００２４】
リアルタイムクロック６は、例えばＩ１２ＣバスによりＡＳＩＣ２に接続されている。また、リアルタイムクロック６は電池等により常時電源供給されておりＣＰＵ１からのアクセスにより、いつでも現時刻を読み出すことが可能である。ＣＰＵ１は、主電源スイッチ３１のオン直後にリアルタイムクロック６へのリードアクセスにより、主電源オン時刻をＲＡＭ４に保存しておき、その後はＣＰＵ１のタイマ割り込みにより１sec毎にリアルタイムクロック６へのリードを行い、現在時刻との差を計算することで、主電源スイッチ３１オンからの経過時間を算出する。
【００２５】
ＨＤＤ８への動作電圧のオン，オフを行うスイッチ９は、トランジスタをスイッチング手段とする電気回路であり、ＣＰＵ１のオン，オフ指示に対応して、ＡＳＩＣ２のＨＤＤ制御回路７がオン，オフする。
【００２６】
USB Host I/F１７の、ＵＳＢケーブルコネクタがあるケーブル端子受け入れスロットには、外部記憶媒体の１つであるＵＳＢメモリ２２を挿入してUSB Host I/F１７に電気的に接続することができる。同様に、ＳＤカードI/F１８の外部接続コネクタにＳＤカードを案内するカード挿入スロットには、外部記憶媒体のもう１つであるＳＤカード２３を挿入してＳＤカードI/F１８に電気的に接続することができる。
【００２７】
ＡＳＩＣ２にあるＨＤＤ制御回路７が、ＨＤＤ８に対する読み書き制御を行うとともに、主電源回路３０が出力する動作電圧のオン，オフを行うＨＤＤ電源スイッチ回路９のオン（ＨＤＤ１１に動作電圧供給）およびオフ（ＨＤＤ１１への動作電圧停止）を制御する。
【００２８】
図２に、複写機ＭＦ１の各部に動作電圧を与える給電系統の概要を示す。主電源スイッチである元電源スイッチ３１が閉じられると、商用交流１００Ｖが、電源回路３０の整流平滑回路３２およびＡＣ回路３７に加わる。整流平滑回路３２の直流出力がＤＣ／ＤＣコンバータ３３に印加される。この例ではＤＣ／ＤＣコンバータ３３は、安定化した＋２４Ｖおよび＋５Ｖの、２系統の直流電圧＋２４ＶＥ，＋５ＶＥを発生する。
【００２９】
電源回路３０では、コンバータ出力の＋２４ＶＥ（＋２４Ｖの電圧）と＋５ＶＥ（＋５Ｖの電圧）にそれぞれスイッチ３４，３５が接続されている。定着装置のヒータ８７に通電するＡＣ回路３７には、スイッチ３６を通して与えられる＋２４Ｖによって閉じられる電源リレーがあり、この電源リレーが閉じることにより、ＡＣ回路３７の、プリンタ１２内の定着ヒータに通電する交流通電回路に商用交流ＡＣが印加される。この交流通電回路は、トライアック（位相制御スイッチング素子）を用いる位相制御の交流通電回路であり、図示しない定着温度センサの温度検出信号を参照して、定着温度が目標温度になるように、トライアックの導通位相を制御する。
【００３０】
上述のスイッチ３６，３４，３５のオン／オフを行うための制御信号がシステムコントローラ１０からスイッチ３６，３４，３５に与えられる。定着装置の目標温度を、トナー像を転写した転写紙の定着処理に定められた定着動作温度として定着ローラの温度をそれに維持する、コピースタートあるいはプリントコマンドに応答して実質上遅れ時間無く画像形成を開始することが出来る「スタンバイモード」（通常モード）では、システムコントローラ１０は上記制御信号でスイッチ３６，３４および３５を共にオンにしている。
【００３１】
「低電力モード」（待機モード）ではシステムコントローラ１０は、プリンタ１２内定着装置のヒータに通電するＡＣ回路３７の電源リレーにオン指示電圧＋２４Ｖを与えるスイッチ３６を、オフに切り替える。すなわちＡＣ回路３７への電源を遮断する。「低電力モード」では、プリント出力を伴なわない、ＨＤＤ  ８に蓄積又は登録する画像読取，ファクシミリ送信のための画像読取，パソコンＰＣに送る原稿の画像読取のための、スキャナ１３およびＡＤＦの動作は可能にするために、動力系に＋２４Ｖを給電するスイッチ３４および制御系および通信系に＋５Ｖを給電するスイッチ３５はオンを継続する。このスイッチ３５のオン，オフと同じく、自己保持スイッチ回路３８をオン，オフする。
【００３２】
「休止モード」ではシステムコントローラ１０は、＋２４Ｖを給電するスイッチ３４および＋５Ｖを給電するスイッチ３５を、ともにオフにする。すなわちスイッチ３４〜３６のすべてをオフにする。
【００３３】
しかし休止モードでは、スイッチ３４〜３６がオフではあるが、スキャナ１３の圧板スイッチ，フイラーセンサおよび操作ボード２１の電源キースイッチの各検出信号線には、システムコントローラ１０の状態変化検知回路において検出電圧＋５ＶＥが印加される。また、パソコンＰＣのプリントコマンドを検知する電気回路、および、回線Ｉ／Ｆ２０のファクシミリ受信検知回路に、＋５ＶＥが継続して印加される。
【００３４】
主電源スイッチ３１がオフからオンに切換って休止モード時の監視用電源＋５ＶＥが＋５Ｖに立ち上がってシステムコントローラ１０のＣＰＵ１が起動した後、スタンバイモード又は低電力モードに切換るためにスイッチ３５をオンにするときに、ＣＰＵ１は自己保持スイッチ３８もオンにする。その後、ユーザの操作により主電源スイッチ３１がオンからオフに切換えられ、ＣＰＵ１がこれを認識すると、ＣＰＵ１は複写機ＭＦ１の各部に動作停止を指示し、複写機ＭＦ１の各部が動作を終了すると、スイッチ３４〜３６および自己保持スイッチ３８をオフに切り換える。これにより、電源回路３０の出力が全て停止する。ＨＤＤ  ８に動作電圧＋５Ｖを給電するＨＤＤ電源スイッチ回路９のオン（ＨＤＤ１１に動作電圧供給）およびオフ（ＨＤＤ１１への動作電圧停止）は、システムコントローラ１０内のＨＤＤ制御回路７（図１）が制御する。
【００３５】
複写機ＭＦ１の検査工程は、図１４の（ａ）に示すように、検査工程１〜検査工程４まであり、それぞれを実施するに要する時間は、それぞれ１０ｓｅｃ，６０ｓｅｃ，８０ｓｅｃおよび９０ｓｅｃである。図１４の（ｆ）には、従来の検査工程１〜４の実行シーケンスを示す。
【００３６】
検査工程１では、結線チェックを行い１０ｓｅｃ程度で検査は終了する。この場合にはＨＤＤ８の機能は必要とせず、ＨＤＤ８の電源をオンする必要は無い。同様に検査工程３ではＨＤＤ８の電源をオンする必要は無く、一方、検査工程２および４では、ＨＤＤ８の機能を使用して検査を行うため、ＨＤＤ８の電源をオンする必要がある。なお、ＨＤＤ８の電源をオフする場合には、正規のシャットダウン処理を行うため、シャットダウン処理に１０ｓｅｃ程度要するものとする。この場合に、図１４の（ｆ）にしめすように、すべての工程でＨＤＤの電源をオンした場合には、
(10sec＋10sec)＋(60sec＋10sec)＋(80sec＋10sec)＋(90sec＋10sec)＝280sec
が、画像処理装置への電源オンの時間としてかかってしまう。
【００３７】
ここでＨＤＤ８の機能を必要としない検査工程１，３で、図１４の（ａ）に示すように、ＨＤＤ８の電源をオンしない場合には、検査工程１では必要時間１０ｓｅｃ後に直ちに画像処理装置の電源をオフすることができる。同様に工程３でも８０ｓｅｃで画像処理装置の電源をオフすることができる。このため、全体での画像処理装置の電源オンの時間は、
10sec＋(60sec＋10sec)＋80sec＋(90sec＋10sec)＝260sec
で良いことになる。
【００３８】
図３に、システムコントローラ１０のＣＰＵ１による、ＨＤＤ８に対する給電制御の概要を示す。主電源スイッチ３１がオンになって＋５ＶＥラインの電位が＋５Ｖに立ち上がると、ＣＰＵ１が起動し、自己保持スイッチ３８をオンにし、スイッチ３４〜３６をオンする。このとき複写機ＭＦ１内のテストスイッチがオン（検査指定）であると、ＣＰＵ１は、ＲＯＭ５にある検査プログラムをＲＡＭ４に書き込んで（ｓ１〜Ｓ３，ｓ９，ｓ１０）、検査プログラムに従って、ステップｓ１１ａ以下の検査工程での給電制御を行う。
【００３９】
なお、ＣＰＵ１が起動したときテストスイッチがオフであったときには、スキャナ，プリンタ，複写機，ファクシミリとしての情報処理を行う、通常の機能プログラムをＲＯＭ５およびＨＤＤ８から読み出してＲＡＭ４に書き込み、実行する（ｓ４，ｓ５）。主電源スイッチ３１が開になると複写機内各部に停止を指示し各部が待機状態（非作動状態）になると、自己保持スイッチ３８をオフする。ＨＤＤ８に関しては、後述の状態フラグＰＷＦのデータが「１」であると動作状態（電源オフ禁止）、「０」であると休止時様態（電源オフ許可）である。ＣＰＵ１は、複写機内各部に停止を指示したとき、ＰＷＦのデータが「１」であると、「０」になるのを待って自己保持スイッチ３８をオフする。ＣＰＵ１の、この自己保持スイッチ３８の制御は、検査工程の給電制御に進入している場合も、同様である。
【００４０】
ステップｓ９以下の検査工程での給電制御では、ＣＰＵ１は、ＮＶＲＡＭ３の一領域に定めているイベントテーブル上の第１イベントのデータを読み出す（ｓ１１ａ）。イベントテーブルには、イベントＮｏ．宛に、次のイベントＮｏ．にアクセスするまでの処置（処理）命令データおよび参照データが書き込まれている。例えばイベントＮｏ．１宛てには、図３のステップＳ１１ｂ〜ｓ１２ａの処理を実行するデータが書き込まれている。なお、イベントテーブルのデータは、オペレータによる初期設定操作によって登録されているものであり、オペレータによる変更が可能なものである。
【００４１】
イベントテーブル上の第１イベントのデータを読み出すと（ｓ１１ａ）、ＣＰＵ１は、リアルタイムクロック６のデータをリードし、主電源スイッチ３１のオン時刻を保持しておく（ｓ１１ｂ）。そして１ｓｅｃタイマー割り込みを許可し（ｓ１１ｃ）、状態フラグＰＷＦのデータを、主電源オフ許可を表す「０」とする（ｓ１１ｄ）。そして、イベントテーブル上の第２イベントのデータを読み出す（ｓ１２ａ）。
【００４２】
読み出しデータの中の時限データ（１５ｓｅｃ）をタイマー時限ＴＲに設定して、ＴＲが経過するのを待って（ｓ１２ｃ）、ＨＤＤ電源スイッチＳＷ９をオンにして（ｓ１２ｄ）、状態フラグＰＷＦのデータを、主電源オフ禁止を表す「１」とする（ｓ１２ｆ）。そこで検査工程２が開始するのを待って（ｓ１２ｇ）、イベントテーブル上の第３イベントのデータを読み出す（ｓ１３ａ）。
【００４３】
読み出しデータの中の時限データ（６０ｓｅｃ）をタイマー時限ＴＲに設定して（ｓ１３ｂ）、ＴＲが経過するのを待って（ｓ１３ｃ）、ＨＤＤ８のシャットダウン処理を開始して、イベントテーブル上の第４イベントのデータを読み出す（ｓ１４ａ）。
【００４４】
読み出しデータの中の時限データ（１０ｓｅｃ）をタイマー時限ＴＲに設定して（ｓ１４ｂ）、ＴＲが経過するのを待って（ｓ１４ｃ）、図４に示すステップｓ１４ｄでＨＤＤ電源スイッチＳＷ９をオフにして（ｓ１４ｄ）、状態フラグＰＷＦのデータを、主電源オフ許可を表す「０」とする（ｓ１４ｅ）。そして検査工程３がスタートするのを待って（ｓ１４ｆ）、イベントテーブル上の第５イベントのデータを読み出す（ｓ１５ａ）。
【００４５】
読み出しデータの中の時限データ（８０ｓｅｃ）をタイマー時限ＴＲに設定して、ＴＲが経過するのを待って（ｓ１５ｃ）、ＨＤＤ電源スイッチＳＷ９をオンにして（ｓ１５ｄ）、状態フラグＰＷＦのデータを、主電源オフ禁止を表す「１」とする（ｓ１５ｅ）。そこで検査工程４が開始するのを待って（ｓ１５ｆ）、イベントテーブル上の第６イベントのデータを読み出す（ｓ１６ａ）。
【００４６】
読み出しデータの中の時限データ（９０ｓｅｃ）をタイマー時限ＴＲに設定して（ｓ１６ｂ）、ＴＲが経過するのを待って（ｓ１６ｃ）、ＨＤＤ８のシャットダウン処理を開始して（ｓ１６ｄ）、イベントテーブル上の第７イベントのデータを読み出す（ｓ１６ａ）。
【００４７】
読み出しデータの中の時限データ（１０ｓｅｃ）をタイマー時限ＴＲに設定して（ｓ１７ｂ）、ＴＲが経過するのを待って（ｓ１７ｃ）、ＨＤＤ電源スイッチＳＷ９をオフにして（ｓ１７ｄ）、状態フラグＰＷＦのデータを、主電源オフ許可を表す「０」とする（ｓ１７ｆｅ）。そこで電源スイッチＳＷ３１がオフするのを待って（ｓ１７ｇ）、電源スイッチＳＷ３１がオフすると、機内各部が非作動になるのを待ってスイッチ３４〜３６および自己保持スイッチ３８をオフにする（ｓ１７ｈ）。
【００４８】
図１４の（ａ）に、第１実施例の、検査工程実行シーケンスと上記給電制御によるＨＤＤ電源スイッチＳＷ９のオン，オフシーケンスを示す。本実施例によれば、検査工程１での必要時間が１０ｓｅｃである場合には、ＨＤＤの電源がオンされていないため、正規のシャットダウン処理を行わずに主電源をオフすることが可能となる。ＮＶＲＡＭ３に設定したイベントテーブルに検査工程の実行時間を設定し、実行時間の経過に応じてＨＤＤ電源のオン，オフを行うようにすることで、同一機種のＭＦＰに対してＨＤＤ電源制御プログラムはすべて共通で使用可能となる。
【００４９】
上記第１実施例は、自己保持スイッチ３８を備えて、システムコントローラ１０のＣＰＵ１が、主電源スイッチ３１が閉になって＋５ＶＥラインが＋５Ｖに立ち上がると自己保持スイッチ３８をオンとし、主電源スイッチ３１が開になると複写機内各部に停止を指示し各部が待機状態（非差動状態）になると、自己保持スイッチ３８をオフする。しかし、自己保持スイッチ３８を省略して、＋５Ｖラインにバックアップスイッチを介してバックアップ電源を接続し、ＣＰＵ１が、主電源スイッチ３１が閉になって＋５ＶＥラインが＋５Ｖに立ち上がるとバックアップスイッチをオンとし、主電源スイッチ３１が開になると複写機内各部に停止を指示し各部が待機状態（非差動状態）になると、スイッチ３５およびバックアップスイッチをオフする態様もある。これは以下の、他の実施例においても同様である。
【実施例２】
【００５０】
第２実施例のハードウエアは上述の第１実施例と同様であるが、システムコントローラ１０のＣＰＵ１による、ＨＤＤ８に対する給電制御が、第１実施例とは少々異なる。図５に、第２実施例のＣＰＵ１による、ＨＤＤ８に対する給電制御の概要を示す。本実施例でも、ＣＰＵ１は、ＮＶＲＡＭ３の一領域に定めているイベントテーブル上の各イベントのデータを読み出して電源スイッチＳＷ９のオン，オフシーケンスを進める。本実施例でもイベントテーブルには、イベントＮｏ．宛に、次のイベントＮｏ．にアクセスするまでの処置（処理）命令データおよび参照データが書き込まれているが、第１実施例の時限値データは用いていない。例えばイベントＮｏ．１宛てには、図５のステップＳ１１ｂ〜ｓ１２ａの処理を実行するデータが書き込まれている。なお、この実施例でも、イベントテーブルのデータは、オペレータによる初期設定操作によって登録されているものであり、オペレータによる変更が可能なものである。
【００５１】
検査工程での給電制御では、ＣＰＵ１は、ＮＶＲＡＭ３の一領域に定めているイベントテーブル上の第１イベントのデータを読み出す（ｓ１１ａ）。イベントテーブルには、イベントＮｏ．宛に、次のイベントＮｏ．にアクセスするまでの処置（処理）命令データおよび参照データが書き込まれている。
【００５２】
イベントテーブル上の第１イベントのデータを読み出すと（ｓ１１ａ）、ＣＰＵ１は、読み出しデータの中の、ＨＤＤ電源スイッチＳＷ９のオン，オフ指示フラグＣＦ１のデータ「０」に対応してＨＤＤ電源スイッチＳＷ９をオフにして（ｓ１１ｂ）、状態フラグＰＷＦのデータを、主電源オフ許可を表す「０」とする（ｓ１１ｃ）。そして、検査工程１の終了を待って（ｓ１１ｄ）、イベントテーブル上の第２イベントのデータを読み出す（ｓ１２ａ）。
【００５３】
読み出しデータの中のオン，オフ指示フラグＣＦ２のデータ「１」に対応してＨＤＤ電源スイッチＳＷ９をオンにして（ｓ１２ｂ）、状態フラグＰＷＦのデータを、主電源オフ禁止を表す「１」とする（ｓ１２ｃ）。そして、検査工程２の終了後のシャットダウン処理の終了を待って（ｓ１２ｄ）、ＨＤＤ電源スイッチＳＷ９をオフにして（ｓ１２ｅ）、状態フラグＰＷＦのデータを、主電源オフ許可を表す「０」とする（ｓ１２ｆ）。そしてイベントテーブル上の第３イベントのデータを読み出す（ｓ１３ａ）。
【００５４】
イベントテーブル上の第３イベントのデータを読み出すと（ｓ１３ａ）、ＣＰＵ１は、読み出しデータの中の、ＨＤＤ電源スイッチＳＷ９のオン，オフ指示フラグＣＦ３のデータ「０」に対応してＨＤＤ電源スイッチＳＷ９をオフにして（ｓ１３ｂ）、状態フラグＰＷＦのデータを、主電源オフ許可を表す「０」とする（ｓ１３ｃ）。そして、検査工程３の終了を待って（ｓ１３ｄ）、図６に示すステップｓ１４ａに進んでイベントテーブル上の第４イベントのデータを読み出す（ｓ１４ａ）。
【００５５】
読み出しデータの中のオン，オフ指示フラグＣＦ４のデータ「１」に対応してＨＤＤ電源スイッチＳＷ９をオンにして（ｓ１４ｂ）、状態フラグＰＷＦのデータを、主電源オフ禁止を表す「１」とする（ｓ１４ｃ）。そして、検査工程２の終了後のシャットダウン処理の終了を待って（ｓ１４ｄ）、ＨＤＤ電源スイッチＳＷ９をオフにして（ｓ１４ｅ）、状態フラグＰＷＦのデータを、主電源オフ許可を表す「０」とする（ｓ１４ｆ）。そこで電源スイッチＳＷ３１がオフするのを待って（ｓ１５）、電源スイッチＳＷ３１がオフすると、機内各部が非作動になるのを待ってスイッチ３４〜３６および自己保持スイッチ３８をオフにする（ｓ１６）。第２実施例のその他の機能は、第１実施例と同様である。
【００５６】
図１４の（ｂ）に、第２実施例の、検査工程実行シーケンスと上記給電制御によるＨＤＤ電源スイッチＳＷ９のオン，オフシーケンスを示す。
【００５７】
ＮＶＲＡＭ３に設定したイベントテーブルに、検査工程Ｎｏ．宛のＨＤＤ電源スイッチＳＷ９のオン，オフ指示フラグＣＦ１〜４（状態フラグ）を持つことで、状態フラグのビット単位での書換えが短時間で処理可能となり、また、主電源スイッチ３１がオフの間もデータを保持できるというメリットがある。
【実施例３】
【００５８】
第３実施例のハードウエアは上述の第３実施例と同様であるが、システムコントローラ１０のＣＰＵ１による、ＨＤＤ８に対する給電制御が、第１実施例とは少々異なる。図７に、第３実施例のＣＰＵ１による、ＨＤＤ８に対する給電制御の概要を示す。本実施例では、給電制御プログラム中に、検査工程１〜４の開始，終了にあわせて、ＨＤＤ電源スイッチＳＷ９のオン，オフ指示フラグＣＦ１〜４（状態フラグ）が書き込まれている。これらの状態フラグは、本実施例では、先行の検査工程が終了すると次の検査工程のための状態フラグを設定するが、該次の検査工程を開始するときに、該状態フラグの内容に応じて、ＨＤＤ電源スイッチＳＷ９をオン又はオフにする。
【００５９】
図７を参照すると、第３実施例のＣＰＵ１は、給電制御開始点で検査工程１用の状態フラグＣＦ１に、ＨＤＤ電源スイッチＳＷ９のオフを指示する「０」を設定して（ｓ１０ｂ）、検査工程１が開始するとき（ｓ１１ａ）、状態フラグＣＦ１のデータに基づいて、ＨＤＤ電源スイッチＳＷ９をオフにして（ｓ１１ｂ）、状態フラグＰＷＦのデータを、主電源オフ許可を表す「０」とする（ｓ１１ｃ）。
【００６０】
そして、検査工程１の終了を待って（ｓ１１ｄ）、検査工程２用の状態フラグＣＦ２に、ＨＤＤ電源スイッチＳＷ９のオンを指示する「１」を設定して（ｓ１１ｅ）、検査工程２が開始するとき（ｓ１２ａ）、状態フラグＣＦ２のデータに基づいて、ＨＤＤ電源スイッチＳＷ９をオンにして（ｓ１２ｂ）、状態フラグＰＷＦのデータを、主電源オフ禁止を表す「１」とする（ｓ１２ｃ）。
【００６１】
次に、検査工程２を終了しシャットダウン処理が終了するのを待って（ｓ１２ｄ）、ＨＤＤ電源スイッチＳＷ９をオフにして（ｓ１２ｅ）、状態フラグＰＷＦのデータを、主電源オフ許可を表す「０」とする（ｓ１２ｆ）。検査工程３用の状態フラグＣＦ３に、ＨＤＤ電源スイッチＳＷ９のオフを指示する「０」を設定して（ｓ１２ｇ）、図８に示すステップｓ１３ａで検査工程３の開始を待って、状態フラグＣＦ３のデータに基づいて、ＨＤＤ電源スイッチＳＷ９をオフにして（ｓ１３ｂ）、状態フラグＰＷＦのデータを、主電源オフ許可を表す「０」とする（ｓ１３ｃ）。
【００６２】
そして、検査工程３の終了を待って（ｓ１３ｄ）、検査工程４用の状態フラグＣＦ４に、ＨＤＤ電源スイッチＳＷ９のオンを指示する「１」を設定して（ｓ１３ｅ）、検査工程４が開始するとき（ｓ１４ａ）、状態フラグＣＦ４のデータに基づいて、ＨＤＤ電源スイッチＳＷ９をオンにして（ｓ１４ｂ）、状態フラグＰＷＦのデータを、主電源オフ禁止を表す「１」とする（ｓ１４ｃ）。
【００６３】
次に、検査工程４を終了しシャットダウン処理が終了するのを待って（ｓ１４ｄ）、ＨＤＤ電源スイッチＳＷ９をオフにして（ｓ１４ｅ）、状態フラグＰＷＦのデータを、主電源オフ許可を表す「０」とする（ｓ１４ｆ）。そこで電源スイッチＳＷ３１がオフするのを待って（ｓ１５）、電源スイッチＳＷ３１がオフすると、機内各部が非作動になるのを待ってスイッチ３４〜３６および自己保持スイッチ３８をオフにする（ｓ１６）。第３実施例のその他の機能は、第１実施例と同様である。
【００６４】
図１４の（ｃ）に、第３実施例の、検査工程実行シーケンスと上記給電制御によるＨＤＤ電源スイッチＳＷ９のオン，オフシーケンスを示す。
【００６５】
第３実施例では、検査工程１の最後に検査工程２での状態フラグを設定する。このようにした場合に検査工程２でＨＤＤの電源をオンするには、検査工程１の最後で状態フラグＣＦ２をＳＷ９オンを指示する「１」とする。同様に検査工程２の最後で状態フラグＣＦ３をセットし、検査工程３の最後で状態フラグＣＦ４をセットすることで、検査工程１と３ではＨＤＤの電源をオフとし、検査工程２と４ではＨＤＤ１０４の電源をオンとするように動作させる。ＮＶＲＡＭ３に次回電源オン時の状態フラグＣＦ１〜ＣＦ４の設定を書き込み、次回電源オンの間の検査工程に該状態フラグのデータを用いることにより、各検査工程の実行時のＨＤＤ電源のオン，オフを制御できる。
【実施例４】
【００６６】
第４実施例のハードウエアは上述の第１実施例と同様であるが、システムコントローラ１０のＣＰＵ１による、ＨＤＤ８に対する給電制御が、第１実施例とは少々異なる。図９に、第４実施例のＣＰＵ１による、ＨＤＤ８に対する給電制御の概要を示す。本実施例でも、ＣＰＵ１は、ＮＶＲＡＭ３の一領域に定めているイベントテーブル上の各イベントのデータを読み出して電源スイッチＳＷ９のオン，オフシーケンスを進める。本実施例でもイベントテーブルには、イベントＮｏ．宛に、次のイベントＮｏ．にアクセスするまでの処置（処理）命令データおよび参照データを書き込み、しかも、第１実施例の時限値データと同様な時限値データも、参照データとして書き込んでいる。例えばイベントＮｏ．１宛てには、図９のステップＳ１１ｂ〜ｓ１２ａの処理を実行するデータが書き込まれている。なお、この実施例でも、イベントテーブルのデータは、オペレータによる初期設定操作によって登録されているものであり、オペレータによる変更が可能なものである。
【００６７】
検査工程での給電制御では、ＣＰＵ１は、ＮＶＲＡＭ３の一領域に定めているイベントテーブル上の第１イベントのデータを読み出す（ｓ１１ａ）。イベントテーブルには、イベントＮｏ．宛に、次のイベントＮｏ．にアクセスするまでの処置（処理）命令データおよび参照データが書き込まれている。
【００６８】
イベントテーブル上の第１イベントのデータを読み出すと（ｓ１１ａ）、ＣＰＵ１は、読み出しデータの中の、ＨＤＤ電源スイッチＳＷ９のオン，オフ指示フラグＣＦ１のデータ「０」に対応してＨＤＤ電源スイッチＳＷ９をオフにして（ｓ１１ｂ）、状態フラグＰＷＦのデータを、主電源オフ許可を表す「０」とする（ｓ１１ｃ）。そして、検査工程１の終了を待って（ｓ１１ｄ）、イベントテーブル上の第２イベントのデータを読み出す（ｓ１２ａ）。
【００６９】
読み出しデータの中の時限データ（１０ｓｅｃ）を時限値ＴＲに設定して（ｓ１２ｂ）、時限値ＴＲの時間経過を待って（ｓ１２ｃ）、オン，オフ指示フラグＣＦ２のデータ「１」に対応してＨＤＤ電源スイッチＳＷ９をオンにして（ｓ１２ｄ）、状態フラグＰＷＦのデータを、主電源オフ禁止を表す「１」とする（ｓ１２ｆ）。そして、検査工程２がスタートするのを待って（ｓ１２ｇ）、スタートするとイベントテーブル上の第３イベントのデータを読み出す（ｓ１３ａ）。読み出したデータの中の時限データ（６０ｓｅｃ）を時限値ＴＲに設定して（ｓ１３ｂ）、時限値ＴＲの時間経過を待って（ｓ１３ｃ）、検査工程２の終了後のシャットダウン処理を開始し（ｓ１３ｄ）、イベントテーブル上の第４イベントのデータを読み出す（ｓ１４ａ）。
【００７０】
イベントテーブル上の第４イベントのデータを読み出すと（ｓ１４ａ）、ＣＰＵ１は、読み出しデータの中の、時限データ（１０ｓｅｃ）を時限値ＴＲに設定して（ｓ１４ｂ）、図１０に示すステップｓ１４ｃに進んで時限値ＴＲの時間経過を待って（ｓ１４ｃ）、オン，オフ指示フラグＣＦ３のデータ「０」に対応してＨＤＤ電源スイッチＳＷ９をオフにして（ｓ１４ｄ）、状態フラグＰＷＦのデータを、主電源オフ許可を表す「０」とする（ｓ１４ｅ）。そして検査工程３の開始を待って（ｓ１４ｆ）、イベントテーブル上の第５イベントのデータを読み出す（ｓ１５ａ）。
【００７１】
読み出しデータの中の時限データ（８０ｓｅｃ）を時限値ＴＲに設定して（ｓ１５ｂ）、時限値ＴＲの時間経過を待って（ｓ１５ｃ）、オン，オフ指示フラグＣＦ４のデータ「１」に対応してＨＤＤ電源スイッチＳＷ９をオンにして（ｓ１５ｄ）、状態フラグＰＷＦのデータを、主電源オフ禁止を表す「１」とする（ｓ１５ｅ）。そして、検査工程４がスタートするのを待って（ｓ１５ｆ）、スタートするとイベントテーブル上の第６イベントのデータを読み出す（ｓ１６ａ）。読み出したデータの中の時限データ（９０ｓｅｃ）を時限値ＴＲに設定して（ｓ１６ｂ）、時限値ＴＲの時間経過を待って（ｓ１６ｃ）、検査工程４の終了後のシャットダウン処理を開始し（ｓ１６ｄ）、イベントテーブル上の第７イベントのデータを読み出す（ｓ１７ａ）。読み出しデータの中の、時限データ（１０ｓｅｃ）を時限値ＴＲに設定して（ｓ１７ｂ）、時限値ＴＲの時間経過を待って（ｓ１７ｃ）、オン，オフ指示フラグＣＦ５のデータ「０」に対応してＨＤＤ電源スイッチＳＷ９をオフにして（ｓ１７ｄ）、状態フラグＰＷＦのデータを、主電源オフ許可を表す「０」とする（ｓ１７ｆ）。そこで電源スイッチＳＷ３１がオフするのを待って（ｓ１７ｇ）、電源スイッチＳＷ３１がオフすると、機内各部が非作動になるのを待ってスイッチ３４〜３６および自己保持スイッチ３８をオフにする（ｓ１７ｈ）。第４実施例のその他の機能は、第１実施例と同様である。
【００７２】
図１４の（ｄ）に、第４実施例の、検査工程実行シーケンスと上記給電制御によるＨＤＤ電源スイッチＳＷ９のオン，オフシーケンスを示す。
【００７３】
第４実施例によれば、ＮＶＲＡＭ３に設定したイベントテーブルに検査工程の実行時間を設定し、実行時間の経過に応じてＨＤＤ電源のオン，オフを行うようにすることで、同一機種のＭＦＰに対してＨＤＤ電源制御プログラムはすべて共通で使用可能となる。また、ＮＶＲＡＭ３に設定したイベントテーブルに、検査工程Ｎｏ．宛のＨＤＤ電源スイッチＳＷ９のオン，オフ指示フラグＣＦ１〜５（状態フラグ）を持つことで、状態フラグのビット単位での書換えが短時間で処理可能となり、主電源スイッチ３１がオフの間もデータを保持できるというメリットがある。
【実施例５】
【００７４】
第５実施例のハードウエアは上述の第１実施例と同様であるが、システムコントローラ１０のＣＰＵ１による、ＨＤＤ８に対する給電制御が、第１実施例とは異なる。図１１に、第５実施例のＣＰＵ１による、ＨＤＤ８に対する給電制御の概要を示す。本実施例では、ＮＶＲＡＭ３の一領域にフラグテーブルを設定しており、該フラグテーブルには、検査工程Ｎｏ．宛に、表１に示すように、状態フラグＣＦのデータを格納している。
【００７５】
【表１】
2010170270.tif 000003
【００７６】
第５実施例のＣＰＵ１は、給電制御に進むとまずＨＤＤ電源スイッチＳＷ９をオフに初期化し（ｓ１１）、状態フラグＰＷＦのデータを、主電源オフ許可を表す「０」とする（ｓ１２）。つぎに、実行指定された検査工程Ｎｏ．を参照して（ｓ１３）、該Ｎｏ．に宛てられた状態フラグＣＦのデータをフラグテーブルから読み出して（ｓ１４）、それが「０」であるとＨＤＤ電源スイッチＳＷ９をオフにし（ｓ１６）、状態フラグＰＷＦのデータを、主電源オフ許可を表す「０」とする（ｓ１７）。そして指定された検査工程が終了すると（ｓ１８）、次の、実行指定された検査工程Ｎｏ．を参照する（ｓ１３）。実行指定された検査工程Ｎｏ．に宛てられた状態フラグＣＦのデータが「１」であると、ＨＤＤ電源スイッチＳＷ９をオンにし（ｓ１９）、状態フラグＰＷＦのデータを、主電源オフ禁止を表す「１」とする（ｓ２０）。そして、指定検査工程終了後のシャットダウン処理の終了を待って、ＨＤＤ電源スイッチＳＷ９をオフにし（ｓ２２）、状態フラグＰＷＦのデータを、主電源オフ許可を表す「０」とする（ｓ２３）。検査工程の実行中あるいは終了後に、主電源ＳＷ３１がオフになると、ＣＰＵ１は、機内各部に作動停止を指示し、各部が電源断可になると、スイッチ３４〜３６および自己保持スイッチスイッチ３８をオフにする。第５実施例のその他の機能は、第１実施例と同様である。
【００７７】
図１４の（ｅ）に、第５実施例の、検査工程実行シーケンスと上記給電制御によるＨＤＤ電源スイッチＳＷ９のオン，オフシーケンスを示す。
【００７８】
なお、ＨＤＤ８に関してＣＰＵ１は、主電源スイッチ３１がオフになったとき状態フラグＰＷＦのデータが電源オフ禁止を意味する「１」であると、それが「０」に切換るのを待って、スイッチ３４〜３６および自己保持スイッチスイッチ３８をオフにする。すなわち、ＨＤＤ８のシャットダウン処理が終了してから、主電源をオフにする。
【００７９】
工程１ではフラグを０、工程２ではフラグを１、工程３ではフラグを０、工程４ではフラグを１というようにそれぞれの場合に応じてデータを保持しておくことで、検査工程１と３ではＨＤＤ１０４の電源をオンしない。また、検査工程２と４ではＨＤＤ１０４の電源をオンするように動作させる。
【００８０】
第５実施例では、検査工程Ｎｏ．宛てに状態フラグＣＦを格納したフラグテーブルを持ち、工程番号と関連付けられたフラグＣＦを読み込んでＨＤＤ８の電源（ＳＷ９のオン，オフ）を制御するため、次回の起動フラグをセットする前に電源がオフされた場合や、工程の順番が入れ替わった場合にも対応することが可能となる。
【実施例６】
【００８１】
第６実施例のハードウエアは上述の第１実施例と同様であるが、システムコントローラ１０のＣＰＵ１による、ＨＤＤ８に対する給電制御は、第１実施例とは異なるが、第５実施例と主要部は共通である。図１２に、第６実施例のＣＰＵ１による、ＨＤＤ８に対する給電制御の概要を示す。本実施例では、ＮＶＲＡＭ３の一領域にフラグテーブルを設定しており、他の領域に修正テーブルを設定している。該フラグテーブルには、検査工程Ｎｏ．宛に、表１に示すように、状態フラグＣＦのデータを格納している。修正テーブルは、フラグテーブルのデータを、一部を書き換えて保持するものである。
【００８２】
第６実施例では、給電制御に進むとまずＨＤＤ電源スイッチＳＷ９をオフに初期化し（ｓ１１）、状態フラグＰＷＦのデータを、主電源オフ許可を表す「０」とすると（ｓ１２）、ＣＰＵ１は、主電源オフ割り込みを許可する（ｓ１２ａ）。この主電源オフ割り込みは、主電源スイッチ３１（図２）に組み込まれているオン，オフ検知スイッチがスイッチ３１のオフに伴ってオフに転じてオン，オフ検知スイッチの信号ラインが高レベルＨに転ずるとＣＰＵ１に割り込みがかかるものである。
【００８３】
図１３に、該割り込みの処理概要を示す。この割り込み処理に進むとＣＰＵ１は、実行中の検査工程Ｎｏ．を保存し（Ｓ３１）、該検査工程Ｎｏ．宛の状態フラグＣＦを参照して、それがＨＤＤ電源オン（ＳＷ９オン）を指定する「１」であると、該検査工程Ｎｏ．のＨＤＤ８使用の検査が終了しているか検索して（Ｓ３２）、終了しているとＨＤＤ８のシャットダウン処理をして（Ｓ３３）、それを終了すると、該検査工程Ｎｏ．宛の状態フラグＣＦを「０」に変更した修正テーブルをＮＶＲＡＭ３上に生成する（Ｓ３４）。そして、修正テーブル参照を指示する「１」を、制御フラグＩＮＴＡＦに書き込んで（Ｓ３５）メインルーチン（図１２）に復帰して、機器各部が非作動状態になるのを待って、スイッチ３４〜３６および自己保持スイッチ３８をオフにする（ｓ２４，ｓ２５）。割り込み処理に進んだときに実行中の検査工程Ｎｏ．に「０」の状態フラグＣＦが割り当てられていた場合、ならびに、「１」の状態フラグＣＦが割り当てられていてもＨＤＤ８使用の検査が未完の場合には、上述の修正テーブルの生成は行わないで、メインルーチン（図１２）に復帰して、機器各部が非作動状態になるのを待って、スイッチ３４〜３６および自己保持スイッチ３８をオフにする（ｓ２４，ｓ２５）。この場合は、制御フラグＩＮＴＡＦのデータは「０」に留まる。
【００８４】
再度図１２を参照する。指定の検査工程Ｎｏ．を認識すると（ｓ１３）ＣＰＵ１は、制御フラグＩＮＴＡＦのデータを参照して（ｓ１３ａ）、それが「０」であればフラグテーブルを指定し、「１」であれば修正テーブルを指定して、指定の検査工程Ｎｏ．あての状態データＣＦを読み出す（ｓ１４又はｓ１４ａ）。その後の処理は、上述の第５実施例のステップｓ１４以下と同様である。
【００８５】
この第６実施例では、検査工程２内でＨＤＤ８の機能を必要としている検査が終了したあとに主電源スイッチ３１がオフに切換ると、次回の主電源スイッチ３１のオンのときの検査工程２に宛てたＨＤＤ８の電源オン、オフを制御する状態フラグを「０」に変更する。例えば、最初の電源オン時には検査工程１での状態フラグＣＦが「０」のため、ＨＤＤ８の電源をオンしないで検査工程１を起動し、検査工程２の起動時には検査工程２でのフラグが「１」のためＨＤＤ８に対して電源をオンして起動する。検査工程２の途中でＨＤＤ８の機能を必要とする検査が終了した後で主電源スイッチ３１がオフした場合には、検査工程２でのフラグを「０」に書き換える。
【００８６】
ＨＤＤ８の機能を必要とした検査の終了時に設定フラグを書き換えることにより、ＨＤＤの検査終了後に検査がストップしてしまった場合でもＨＤＤの検査が終了しているため、次回の同一工程の起動の場合でもＨＤＤの電源をオンせずに起動させることが可能となる。このため２回目以降の同一工程ではシャットダウン処理を行わずに主電源をオフすることが可能となり、トータルの検査時間を短縮することができる。
【００８７】
例えば、検査工程２の実行途中で異常が発生し、検査工程２の検査がすべて終了せずに主電源をオフした場合には、主電源を再投入して検査工程２の検査を再スタートするが、この場合にはＨＤＤ８の機能を必要とする検査が終了しており、検査工程２での状態フラグＣＦも０に書き換わっているため、ＨＤＤ８の電源はオンせずに検査工程２を起動する。このため、通常では検査工程２の終了時にはＨＤＤ８の正規シャットダウン処理を必要としていたが、ＨＤＤ８の電源をオンしていないため直接主電源をオフすることが可能となる。
【００８８】
その他に第６実施例でも、工程番号によるフラグテーブルを書換え可能なため、同一工程を複数回実施の場合、例えば、部品故障による一部修理実施による再検査などの場合にも設定テーブルを書き換えることにより不要なシャットダウン処理の時間を削減可能となる。
【符号の説明】
【００８９】
３１：主電源スイッチ
【先行技術文献】
【特許文献】
【００９０】
【特許文献１】特許第３９２８３６６号公報
【特許文献２】特開２００６−３９４５号公報
【図１】
2010170270.tif 000004
【図２】
2010170270.tif 000005
【図３】
2010170270.tif 000006
【図４】
2010170270.tif 000007
【図５】
2010170270.tif 000008
【図６】
2010170270.tif 000009
【図７】
2010170270.tif 000010
【図８】
2010170270.tif 000011
【図９】
2010170270.tif 000012
【図１０】
2010170270.tif 000013
【図１１】
2010170270.tif 000014
【図１２】
2010170270.tif 000015
【図１３】
2010170270.tif 000016
【図１４】
2010170270.tif 000017